【手続補正書】
【提出日】平成30年6月4日(2018.6.4)
【手続補正１】
【補正対象書類名】特許請求の範囲
【補正対象項目名】全文
【補正方法】変更
【補正の内容】
【特許請求の範囲】
【請求項１】
マルチステージスポーツアクティビティに関する仮想スポーツリーグを提供するプラットフォームを動作させるための方法であって、前記マルチステージスポーツアクティビティは、２つまたはそれを上回るステージを備え、前記マルチステージスポーツアクティビティの２つまたはそれを上回るステージのうちの少なくとも１つのステージは、複数の異なるスポーツ種目カテゴリイベントタイプのうちの１つを備え、前記方法は、
第１のコンピューティングデバイスのプロセッサによって、ネットワークを経由して、ユーザと関連付けられた１つまたはそれを上回る第２のコンピューティングデバイスから、第１の競技者の第１の成績提出を受信することであって、前記第１の成績提出は、
前記第１の競技者によって参加された第１のマルチステージスポーツアクティビティに関する第１のコース成績提出と、
前記第１の競技者の成績プロファイルと関連付けられた第１の訓練成績提出であって、前記プロファイルは、前記マルチステージスポーツアクティビティのステージと関連付けられたスポーツアクティビティタイプに対応する、第１の訓練成績提出と
のうちの少なくとも１つを備える、ことと、
前記第１のコンピューティングデバイスのプロセッサによって、前記第１の競技者と関連付けられた１つまたはそれを上回る第１のスケジュールされたマルチステージスポーツアクティビティに関する競技データにアクセスすることであって、
前記１つまたはそれを上回る第１のスケジュールされたマルチステージスポーツアクティビティは、前記第１の競技者に関する仮想リーグ内のシーズンの一部を定義する、ことと、
前記第１のコンピューティングデバイスのプロセッサによって、集合的に、前記第１の競技者と関連付けられた仮想リーグを形成する、前記複数の競技者間の前記第１の競技者のランキングを判定することであって、
前記ランキングは、少なくとも部分的に、前記複数の競技者に対応する１つまたはそれを上回る全体的成績スコアに関する前記第１の競技者の全体的成績スコアに基づき、
前記第１の競技者の全体的成績スコアは、部分的に、前記１つまたはそれを上回る第１のスケジュールされたマルチステージスポーツアクティビティの所与のスケジュールされたマルチステージスポーツアクティビティに絞った個々の成績スコアに基づいて判定され、前記個々の成績スコアは、ｉ）前記所与のスケジュールされたマルチステージスポーツアクティビティに関する前記第１の競技者のコース成績提出、またはｉｉ）前記所与のスケジュールされたマルチステージスポーツアクティビティに関する前記第１の競技者の成績結果の予想のいずれかに基づいて判定され、
前記所与のスケジュールされたマルチステージスポーツアクティビティに関する前記第１の競技者の成績結果の予想は、
前記第１のコンピューティングデバイスのプロセッサによって、複数の第２の競技者の第２の成績データにアクセスすることであって、前記第２の競技者の第２の成績データのサブセットは、共通コース属性を前記第１の競技者の第１の成績提出と共有する、ことと、
前記第１のコンピューティングデバイスのプロセッサによって、前記第１の成績提出および前記第２の成績データのサブセットに基づいて、前記第１の競技者に関する成績評価を判定することであって、前記成績評価は、前記マルチステージスポーツアクティビティの各ステージに絞った１つまたはそれを上回る評価を備え、前記成績評価は、前記所与のスケジュールされたマルチステージスポーツアクティビティと関連付けられたコース評価に対して前記第１の競技者の成績結果の予想を判定するために採用される、ことと
によって判定される、ことと、
前記第１のコンピューティングデバイスのプロセッサによって、前記第１の競技者のランキングを前記１つまたはそれを上回る第２のコンピューティングデバイス上にグラフィック表示させることと
を含む、方法。
【請求項２】
前記共通コース属性は、
前記マルチステージスポーツアクティビティの同一コース識別子と、
前記マルチステージスポーツアクティビティの少なくとも１つのステージに関する同一距離評価と、
前記マルチステージスポーツアクティビティの少なくとも１つのステージに関する同一難易度評価と
から選択される構成因子を備える、請求項１に記載の方法。
【請求項３】
前記マルチステージスポーツアクティビティは、バイアスロン、トライアスロン、デカスロン、ヘプタスロン、近代ペンタスロン、オクタスロン、ペンタスロン、クアドラスロン、テトラスロン、アイコサスロン、またはアクアスロンから選択される構成因子である、請求項１または２に記載の方法。
【請求項４】
前記マルチステージスポーツアクティビティは、トライアスロンである、請求項１または２に記載の方法。
【請求項５】
前記マルチステージスポーツアクティビティの２つまたはそれを上回るステージは、長距離走、水泳、および自転車を備える、請求項１または２に記載の方法。
【請求項６】
前記方法は、
前記第１のコンピューティングデバイスのプロセッサによって、第１の個々の成績スコアおよび第２の個々の成績スコアのグラフィック表現を前記１つまたはそれを上回る第２のコンピューティングデバイス上にグラフィック表示させることであって、前記第１の個々の成績スコアは、前記所与のスケジュールされたマルチステージスポーツアクティビティに関する前記第１の競技者のコース成績提出に基づき、前記第２の個々の成績スコアは、前記所与のスケジュールされたマルチステージスポーツアクティビティに関する前記第１の競技者の成績結果の予想に基づく、ことと、
前記１つまたはそれを上回る第２のコンピューティングデバイスから、前記第１の個々の成績スコアと前記第２の個々の成績スコアとの間の選択を受信することと
を含む、請求項１または２に記載の方法。
【請求項７】
前記第２の個々の成績スコアの選択は、前記仮想リーグ内で前記第１の競技者に割り当てられたペナルティをもたらす、請求項５に記載の方法。
【請求項８】
前記方法は、
前記第１の競技者と関連付けられたスコア化補正率に基づいて、前記所与のマルチステージスポーツアクティビティに関する前記第１の競技者の個々の成績スコアを調節することを含み、
前記スコア化補正率は、
ｉ）前記第１の競技者の人口統計属性および／またはカテゴリ属性と、
ｉｉ）前記第１の競技者によって参加された１つまたはそれを上回るマルチステージスポーツアクティビティにおける前記第１の競技者の成績結果と、
ｉｉｉ）前記第１の競技者によって参加された１つまたはそれを上回るマルチステージスポーツアクティビティにおける前記第１の競技者と他の競技者の相対的成績と、
ｉｖ）前記第１の競技者によって参加された１つまたはそれを上回るマルチステージスポーツアクティビティにおける前記第１の競技者と同一人口統計および／またはカテゴリ属性での前記第１の競技者とトップアスリートの相対的成績と、
ｖ）前記第１の競技者と関連付けられた訓練条件と
から成る群から選択される少なくとも１つの構成因子に基づく、請求項１または２に記載の方法。
【請求項９】
前記方法は、
前記第１の競技者と関連付けられたスコア化補正率に基づいて、前記所与のマルチステージスポーツアクティビティに関する前記第１の競技者の個々の成績スコアを調節することであって、前記スコア化補正率は、購入可能スコア修飾因子に基づき、前記調節度は、前記購入可能スコア修飾因子に関して前記ユーザが費やした金額に基づく、ことを含む、請求項１または２に記載の方法。
【請求項１０】
前記方法は、
１つまたはそれを上回る購入可能スコア修飾因子を前記１つまたはそれを上回る第２のコンピューティングデバイス上にグラフィック提示させることであって、前記購入可能スコア修飾因子は、ｉ）１回限り使用できる装備品、およびｉｉ）半永久的に使用できる装備品から成る群から選択される構成因子を備える、ことと、
前記１つまたはそれを上回る第２のコンピューティングデバイスから、前記１つまたはそれを上回る購入可能スコア修飾因子の選択された購入可能スコア修飾因子を受信することと、
前記選択された購入可能スコア修飾因子の購入に対応する電子支払トランザクションを処理させることであって、前記トランザクションは、前記１つまたはそれを上回る第２のコンピューティングデバイスのユーザと関連付けられたユーザアカウントに対応する、ことと
を含む、請求項１または２に記載の方法。
【請求項１１】
１つまたはそれを上回る第１のスケジュールされたマルチステージスポーツアクティビティに関する前記競技データは、
今後のイベント日と、
今後のイベント識別と、
今後のイベントと関連付けられたステージ評価情報と
から成る群から選択される構成因子を備える、請求項１または２に記載の方法。
【請求項１２】
前記第１の競技者の仮想リーグにメンバー登録された複数の競技者の各競技者の所与のユーザアカウントは、１つまたはそれを上回る第２のスケジュールされたマルチステージスポーツアクティビティを含み、前記第１の競技者の仮想リーグ内の所与の競技者の１つまたはそれを上回る第２のスケジュールされたマルチステージスポーツアクティビティのサブセットは、前記第１の競技者の１つまたはそれを上回る第１のスケジュールされたマルチステージスポーツアクティビティと異なる、請求項１または２に記載の方法。
【請求項１３】
前記第１の訓練成績提出は、
訓練セッションと関連付けられた完遂時間情報と、
前記訓練セッションの完遂率距離情報と、
前記訓練セッションの完遂率情報と、
前記訓練セッションと関連付けられた難易度評価情報と、
事前に定義された訓練セッションのセットの完遂スケジュール情報と
から成る群から選択される構成因子を備える、請求項１または２に記載の方法。
【請求項１４】
前記第１のコース成績提出は、
前記第１の競技者に関する前記マルチステージスポーツアクティビティの１つまたはそれを上回るステージの完遂時間情報と、
前記第１の競技者を識別する競技者識別子と、
前記第１の競技者によって参加された前記マルチステージスポーツアクティビティのコース識別子と
を備える、請求項１または２に記載の方法。
【請求項１５】
前記コース識別子は、ＧＰＳ場所データ、無線ブロードキャスティングデータ、およびモバイルデータを通したデジタル場所データから成る群の１つまたはそれを上回る構成因子に基づいて判定される、請求項１４に記載の方法。
【請求項１６】
システムであって、
第１のコンピューティングデバイスのプロセッサと、
その上に記憶される命令を有するメモリデバイスと
を備え、前記命令は、プロセッサによって実行されると、前記プロセッサに、
ネットワークを経由して、ユーザと関連付けられた１つまたはそれを上回る第２のコンピューティングデバイスから、前記第１の競技者の第１の成績提出を受信することであって、前記第１の成績提出は、
前記第１の競技者によって参加された第１のマルチステージスポーツアクティビティに関する第１のコース成績提出と、
前記第１の競技者の成績プロファイルと関連付けられた第１の訓練成績提出であって、前記プロファイルは、前記マルチステージスポーツアクティビティのステージと関連付けられたスポーツアクティビティタイプに対応する、第１の訓練成績提出と
のうちの少なくとも１つを備える、ことと、
前記第１の競技者と関連付けられた１つまたはそれを上回る第１のスケジュールされたマルチステージスポーツアクティビティに関する競技データにアクセスすることであって、
前記１つまたはそれを上回る第１のスケジュールされたマルチステージスポーツアクティビティは、前記第１の競技者に関する仮想リーグ内のシーズンの一部を定義する、ことと、
集合的に、前記第１の競技者と関連付けられた仮想リーグを形成する、前記複数の競技者間の前記第１の競技者のランキングを判定することであって、
前記ランキングは、少なくとも部分的に、前記複数の競技者に対応する１つまたはそれを上回る全体的成績スコアに関する前記第１の競技者の全体的成績スコアに基づき、
前記第１の競技者の全体的成績スコアは、前記１つまたはそれを上回る第１のスケジュールされたマルチステージスポーツアクティビティの所与のスケジュールされたマルチステージスポーツアクティビティに絞った個々の成績スコアに基づいて判定され、前記個々の成績スコアは、ｉ）前記所与のスケジュールされたマルチステージスポーツアクティビティに関する前記第１の競技者のコース成績提出、またはｉｉ）前記所与のスケジュールされたマルチステージスポーツアクティビティに関する前記第１の競技者の成績結果の予想のいずれかに基づいて判定され、
前記所与のスケジュールされたマルチステージスポーツアクティビティに関する前記第１の競技者の成績結果の予想は、
前記第１のコンピューティングデバイスのプロセッサによって、複数の第２の競技者の第２の成績データにアクセスすることであって、前記第２の競技者の第２の成績データのサブセットは、共通コース属性を前記第１の競技者の第１の成績提出と共有する、ことと、
前記第１のコンピューティングデバイスのプロセッサによって、前記第１の成績提出および前記第２の成績データのサブセットに基づいて、前記第１の競技者に関する成績評価を判定することであって、前記成績評価は、前記マルチステージスポーツアクティビティの各ステージに絞った１つまたはそれを上回る評価を備え、前記成績評価は、前記所与のスケジュールされたマルチステージスポーツアクティビティと関連付けられたコース評価に対して前記第１の競技者の成績結果の予想を判定するために採用される、ことと
によって判定される、ことと、
前記第１の競技者のランキングを前記１つまたはそれを上回る第２のコンピューティングデバイス上にグラフィック表示させることと
を行わせる、システム。
【請求項１７】
前記所与のスケジュールされたマルチステージスポーツアクティビティに関する前記第１の競技者の成績結果の予想は、
前記第１のコンピューティングデバイスのプロセッサによって、複数の第２の競技者の第２の成績データにアクセスすることであって、前記第２の競技者の第２の成績データのサブセットは、共通コース属性を前記第１の競技者の第１の成績提出と共有する、ことと、
前記第１のコンピューティングデバイスのプロセッサによって、前記第１の成績提出および前記第２の成績データのサブセットに基づいて、前記第１の競技者に関する成績評価を判定することであって、前記成績評価は、前記マルチステージスポーツアクティビティの各ステージに絞った１つまたはそれを上回る評価を備え、前記成績評価は、前記所与のスケジュールされたマルチステージスポーツアクティビティと関連付けられたコース評価に対して前記第１の競技者の成績結果の予想を判定するために採用される、ことと
によって判定される、請求項１６に記載のシステム。
【請求項１８】
前記共通コース属性は、
前記マルチステージスポーツアクティビティの同一コース識別子と、
前記マルチステージスポーツアクティビティの少なくとも１つのステージに関する同一距離評価と、
前記マルチステージスポーツアクティビティの少なくとも１つのステージに関する同一難易度評価と
から成る群から選択される構成因子を備える、請求項１７に記載のシステム。
【請求項１９】
前記マルチステージスポーツアクティビティは、トライアスロン、バイアスロン、デカスロン、ヘプタスロン、近代ペンタスロン、オクタスロン、ペンタスロン、クアドラスロン、テトラスロン、アイコサスロン、またはアクアスロンから選択される構成因子である、請求項１６−１８のいずれかに記載のシステム。
【請求項２０】
前記命令は、前記プロセッサによって実行されると、前記プロセッサに、
前記第１の競技者と関連付けられたスコア化補正率に基づいて、前記所与のマルチステージスポーツアクティビティに関する前記第１の競技者の個々の成績スコアを調節させ、前記スコア化補正率は、
ｉ）前記第１の競技者の人口統計属性および／またはカテゴリ属性と、
ｉｉ）前記第１の競技者によって参加された１つまたはそれを上回るマルチステージスポーツアクティビティにおける前記第１の競技者の成績結果と、
ｉｉｉ）前記第１の競技者によって参加された１つまたはそれを上回るマルチステージスポーツアクティビティにおける前記第１の競技者と他の競技者の相対的成績と、
ｉｖ）前記第１の競技者によって参加された１つまたはそれを上回るマルチステージスポーツアクティビティにおける前記第１の競技者と同一人口統計および／またはカテゴリ属性での前記第１の競技者とトップアスリートの相対的成績と、
ｖ）前記第１の競技者と関連付けられた訓練条件と
から成る群から選択される少なくとも１つの構成因子に基づく、請求項１６−１８のいずれかに記載のシステム。
【請求項２１】
前記命令は、前記プロセッサによって実行されると、前記プロセッサに、前記第１の競技者と関連付けられたスコア化補正率に基づいて、前記所与のマルチステージスポーツアクティビティに関する前記第１の競技者の個々の成績スコアを調節させ、前記スコア化補正率は、購入可能スコア修飾因子に基づき、前記調節度は、前記購入可能スコア修飾因子に関して前記ユーザが費やした金額に基づく、請求項１６−１８のいずれかに記載のシステム。
【請求項２２】
前記命令は、前記プロセッサによって実行されると、前記プロセッサに、
１つまたはそれを上回る購入可能スコア修飾因子を前記１つまたはそれを上回る第２のコンピューティングデバイス上にグラフィック提示させることであって、前記購入可能スコア修飾因子は、ｉ）１回限り使用できる装備品、およびｉｉ）半永久的に使用できる装備品から成る群から選択される構成因子を備える、ことと、
前記１つまたはそれを上回る第２のコンピューティングデバイスから、前記１つまたはそれを上回る購入可能スコア修飾因子の選択された購入可能スコア修飾因子を受信することと、
前記選択された購入可能スコア修飾因子の購入に対応する電子支払トランザクションを処理させることであって、前記トランザクションは、前記１つまたはそれを上回る第２のコンピューティングデバイスのユーザと関連付けられたユーザアカウントに対応する、ことと
を行わせる、請求項１６−１８のいずれかに記載のシステム。
【請求項２３】
１つまたはそれを上回る第１のスケジュールされたマルチステージスポーツアクティビティに関する前記競技データは、
今後のイベント日と、
今後のイベント識別と、
今後のイベントと関連付けられたステージ評価情報と
から成る群から選択される構成因子を備える、請求項１６−１８のいずれかに記載のシステム。
【請求項２４】
前記第１の競技者の仮想リーグにメンバー登録された複数の競技者の各競技者の所与のユーザアカウントは、１つまたはそれを上回る第２のスケジュールされたマルチステージスポーツアクティビティを含み、前記第１の競技者の仮想リーグ内の所与の競技者の１つまたはそれを上回る第２のスケジュールされたマルチステージスポーツアクティビティのサブセットは、前記第１の競技者の１つまたはそれを上回る第１のスケジュールされたマルチステージスポーツアクティビティと異なる、請求項１６−１８のいずれかに記載のシステム。
【請求項２５】
前記第１の訓練成績提出は、
訓練セッションと関連付けられた完遂時間情報と、
前記訓練セッションの完遂率距離情報と、
前記訓練セッションの完遂率情報と、
前記訓練セッションと関連付けられた難易度評価情報と、
事前に定義された訓練セッションのセットの完遂スケジュール情報と
から成る群から選択される構成因子を備える、請求項１６−１８のいずれかに記載のシステム。
【請求項２６】
前記第１のコース成績提出は、
前記第１の競技者に関する前記マルチステージスポーツアクティビティの１つまたはそれを上回るステージの完遂時間情報と、
前記第１の競技者を識別する競技者識別子と、
前記第１の競技者によって参加された前記マルチステージスポーツアクティビティのコース識別子と
を備える、請求項１６−１８のいずれかに記載のシステム。
【請求項２７】
前記コース識別子は、前記プロセッサによって、ＧＰＳ場所データ、無線ブロードキャスティングデータ、およびモバイルデータを通したデジタル場所データから成る群の１つまたはそれを上回る構成因子に基づいて判定される、請求項２６に記載のシステム。
【請求項２８】
システムであって、
プロセッサと、
その上に記憶された命令を有するメモリと
を備え、前記命令は、実行されると、前記プロセッサに、
ネットワークを経由して、遠隔コンピューティングデバイスのユーザから、ａ）マルチステージスポーツアクティビティの１つまたはそれを上回るステージに関する完遂時間情報、ｂ）ユーザ識別子、ｃ）コース識別子、およびｄ）１つまたはそれを上回るコンテキスト依存識別子を備える、コース成績提出を受信することであって、前記１つまたはそれを上回るコンテキスト依存識別子は、以下の（ｉ）から（ｉｖ）であって、
ｉ）前記コース成績提出と関連付けられた前記マルチステージスポーツアクティビティの１つまたはそれを上回るステージを識別するステージ識別子と、
ｉｉ）前記コース成績提出と関連付けられた競技を識別する競技識別子と、
ｉｉｉ）前記コース成績提出と関連付けられたユーザ能力レベルを識別する能力レベル識別子と、
ｉｖ）前記コース成績提出と関連付けられた距離評価を識別する距離評価識別子と
のうちの少なくとも１つを備える、ことと、
複数のユーザからの１つまたはそれを上回る付加的コース成績提出にアクセスすることであって、前記付加的コース成績提出は、前記コース識別子および前記コンテキスト依存識別子のうちの少なくとも１つを共有する、ことと、
前記複数のユーザから受信された前記コース成績提出のサブセットに基づいて、前記マルチステージスポーツアクティビティの１つまたはそれを上回るステージのそれぞれに絞った全体的成績評価を判定することと、
前記コンテキスト依存識別子のうちの少なくとも１つおよび前記全体的成績評価に基づいて、前記マルチステージスポーツアクティビティの少なくとも１つのステージに関する個人化された成績目標を提供することと
を行わせる、システム。
【請求項２９】
前記マルチステージスポーツアクティビティは、バイアスロン、トライアスロン、デカスロン、ヘプタスロン、近代ペンタスロン、オクタスロン、ペンタスロン、クアドラスロン、またはテトラスロンから選択される構成因子である、請求項２８に記載のシステム。
【請求項３０】
前記マルチステージスポーツアクティビティは、トライアスロンである、請求項２８または２９に記載のシステム。
【請求項３１】
前記マルチステージスポーツアクティビティの１つまたはそれを上回るステージは、長距離走、水泳、および自転車を備える、請求項２８または２９に記載のシステム。
【請求項３２】
前記マルチステージスポーツアクティビティは、２つまたはそれを上回るステージを有する、請求項２８または２９に記載のシステム。
【請求項３３】
前記コース識別子は、前記プロセッサによって、ＧＰＳ場所データ、無線ブロードキャスティングデータ、およびモバイルデータを通したデジタル場所データから成る群の１つまたはそれを上回る構成因子に基づいて判定される、請求項２８または２９に記載のシステム。
【請求項３４】
前記個人化された成績目標は、前記プロセッサによって、前記ユーザ能力レベルに基づいて、前記全体的成績評価を調節することによって判定される、請求項２８または２９に記載のシステム。
【請求項３５】
前記全体的成績評価は、前記競技識別子を共有するコース成績提出のサブセットに基づく、請求項２８または２９に記載のシステム。
【請求項３６】
前記命令は、前記プロセッサに、ユーザ識別子および距離評価を共有する１つまたはそれを上回るコース成績提出に基づいて、前記ユーザと関連付けられたユーザ能力レベル（例えば、能力ランキングまたは分類）を判定させる、請求項２８または２９に記載のシステム。
【請求項３７】
前記ユーザ能力レベルは、前記マルチステージスポーツアクティビティの各ステージに関するステージ能力レベルを備える、請求項２８または２９に記載のシステム。
【請求項３８】
前記ユーザ能力レベルは、長距離走、水泳、および自転車のそれぞれに関するステージ能力レベルを備える、請求項２８または２９に記載のシステム。
【請求項３９】
前記ユーザ能力レベルは、前記マルチステージスポーツアクティビティの１つまたはそれを上回るステージのうちの複数に関するステージ能力レベルを備える、請求項２８または２９に記載のシステム。
【手続補正２】
【補正対象書類名】明細書
【補正対象項目名】００５５
【補正方法】変更
【補正の内容】
【００５５】
いくつかの実施形態では、第１のコース成績提出は、第１の競技者に関するスポーツアクティビティの完遂時間情報と、第１の競技者を識別する競技者識別子と、第１の競技者によって参加されたスポーツアクティビティのコース識別子とを含む。コース識別子は、コース識別が確認され得る、名称またはコース特性であってもよい。コース識別子は、ＧＰＳ場所データ、無線ブロードキャスティングデータ、およびモバイルデータを通したデジタル場所データから成る群の１つまたはそれを上回る構成因子に基づいて判定されてもよい。
本願明細書は、例えば、以下の項目も提供する。
（項目１）
マルチステージスポーツアクティビティに関する仮想スポーツリーグを提供するプラットフォームを動作させるための方法であって、前記マルチステージスポーツアクティビティは、２つまたはそれを上回るステージを備え、前記マルチステージスポーツアクティビティの２つまたはそれを上回るステージのうちの少なくとも１つのステージは、複数の異なるスポーツ種目カテゴリイベントタイプのうちの１つを備え、前記方法は、
第１のコンピューティングデバイスのプロセッサによって、ネットワークを経由して、ユーザと関連付けられた１つまたはそれを上回る第２のコンピューティングデバイスから、第１の競技者の第１の成績提出を受信するステップであって、前記第１の成績提出は、
前記第１の競技者によって参加された第１のマルチステージスポーツアクティビティに関する第１のコース成績提出と、
前記第１の競技者の成績プロファイルと関連付けられた第１の訓練成績提出であって、前記プロファイルは、前記マルチステージスポーツアクティビティのステージと関連付けられたスポーツアクティビティタイプに対応する、第１の訓練成績提出と、
のうちの少なくとも１つを備える、ステップと、
前記第１のコンピューティングデバイスのプロセッサによって、前記第１の競技者と関連付けられた１つまたはそれを上回る第１のスケジュールされたマルチステージスポーツアクティビティに関する競技データにアクセスするステップであって、
前記１つまたはそれを上回る第１のスケジュールされたマルチステージスポーツアクティビティは、前記第１の競技者に関する仮想リーグ内のシーズンの一部を定義する、ステップと、
前記第１のコンピューティングデバイスのプロセッサによって、集合的に、前記第１の競技者と関連付けられた仮想リーグを形成する、前記複数の競技者間の前記第１の競技者のランキングを判定するステップであって、
前記ランキングは、少なくとも部分的に、前記複数の競技者に対応する１つまたはそれを上回る全体的成績スコアに関する前記第１の競技者の全体的成績スコアに基づき、
前記第１の競技者の全体的成績スコアは、部分的に、前記１つまたはそれを上回る第１のスケジュールされたマルチステージスポーツアクティビティの所与のスケジュールされたマルチステージスポーツアクティビティに絞った個々の成績スコアに基づいて判定され、前記個々の成績スコアは、ｉ）前記所与のスケジュールされたマルチステージスポーツアクティビティに関する前記第１の競技者のコース成績提出、またはｉｉ）前記所与のスケジュールされたマルチステージスポーツアクティビティに関する前記第１の競技者の成績結果の予想のいずれかに基づいて判定され、
前記所与のスケジュールされたマルチステージスポーツアクティビティに関する前記第１の競技者の成績結果の予想は、
前記第１のコンピューティングデバイスのプロセッサによって、複数の第２の競技者の第２の成績データにアクセスするステップであって、前記第２の競技者の第２の成績データのサブセットは、共通コース属性を前記第１の競技者の第１の成績提出と共有する、ステップと、
前記第１のコンピューティングデバイスのプロセッサによって、前記第１の成績提出および前記第２の成績データのサブセットに基づいて、前記第１の競技者に関する成績評価を判定するステップであって、前記成績評価は、前記マルチステージスポーツアクティビティの各ステージに絞った１つまたはそれを上回る評価を備え、前記成績評価は、前記所与のスケジュールされたマルチステージスポーツアクティビティと関連付けられたコース評価に対して前記第１の競技者の成績結果の予想を判定するために採用される、ステップと、
によって判定される、ステップと、
前記第１のコンピューティングデバイスのプロセッサによって、前記第１の競技者のランキングを前記１つまたはそれを上回る第２のコンピューティングデバイス上にグラフィック表示させるステップと、
を含む、方法。
（項目２）
前記共通コース属性は、
前記マルチステージスポーツアクティビティの同一コース識別子と、
前記マルチステージスポーツアクティビティの少なくとも１つのステージに関する同一距離評価と、
前記マルチステージスポーツアクティビティの少なくとも１つのステージに関する同一難易度評価と、
から選択される構成因子を備える、項目１に記載の方法。
（項目３）
前記マルチステージスポーツアクティビティは、バイアスロン、トライアスロン、デカスロン、ヘプタスロン、近代ペンタスロン、オクタスロン、ペンタスロン、クアドラスロン、テトラスロン、アイコサスロン、またはアクアスロンから選択される構成因子である、項目１または２に記載の方法。
（項目４）
前記マルチステージスポーツアクティビティは、トライアスロンである、項目１−３のいずれかに記載の方法。
（項目５）
前記マルチステージスポーツアクティビティの２つまたはそれを上回るステージは、長距離走、水泳、および自転車を備える、項目１−４のいずれかに記載の方法。
（項目６）
前記方法は、
前記第１のコンピューティングデバイスのプロセッサによって、第１の個々の成績スコアおよび第２の個々の成績スコアのグラフィック表現を前記１つまたはそれを上回る第２のコンピューティングデバイス上にグラフィック表示させるステップであって、前記第１の個々の成績スコアは、前記所与のスケジュールされたマルチステージスポーツアクティビティに関する前記第１の競技者のコース成績提出に基づき、前記第２の個々の成績スコアは、前記所与のスケジュールされたマルチステージスポーツアクティビティに関する前記第１の競技者の成績結果の予想に基づく、ステップと、
前記１つまたはそれを上回る第２のコンピューティングデバイスから、前記第１の個々の成績スコアと前記第２の個々の成績スコアとの間の選択を受信するステップと、
を含む、項目１−５のいずれかに記載の方法。
（項目７）
前記第２の個々の成績スコアの選択は、前記仮想リーグ内で前記第１の競技者に割り当てられたペナルティをもたらす、項目５に記載の方法。
（項目８）
前記方法は、
前記第１の競技者と関連付けられたスコア化補正率に基づいて、前記所与のマルチステージスポーツアクティビティに関する前記第１の競技者の個々の成績スコアを調節するステップを含み、
前記スコア化補正率は、
ｉ）前記第１の競技者の人口統計属性および／またはカテゴリ属性と、
ｉｉ）前記第１の競技者によって参加された１つまたはそれを上回るマルチステージスポーツアクティビティにおける前記第１の競技者の成績結果と、
ｉｉｉ）前記第１の競技者によって参加された１つまたはそれを上回るマルチステージスポーツアクティビティにおける前記第１の競技者と他の競技者の相対的成績と、
ｉｖ）前記第１の競技者によって参加された１つまたはそれを上回るマルチステージスポーツアクティビティにおける前記第１の競技者と同一人口統計および／またはカテゴリ属性での前記第１の競技者とトップアスリートの相対的成績と、
ｖ）前記第１の競技者と関連付けられた訓練条件と、
から成る群から選択される少なくとも１つの構成因子に基づく、項目１−７のいずれかに記載の方法。
（項目９）
前記方法は、
前記第１の競技者と関連付けられたスコア化補正率に基づいて、前記所与のマルチステージスポーツアクティビティに関する前記第１の競技者の個々の成績スコアを調節するステップであって、前記スコア化補正率は、購入可能スコア修飾因子に基づき、前記調節度は、前記購入可能スコア修飾因子に関して前記ユーザが費やした金額に基づく、ステップを含む、項目１−８のいずれかに記載の方法。
（項目１０）
前記方法は、
１つまたはそれを上回る購入可能スコア修飾因子を前記１つまたはそれを上回る第２のコンピューティングデバイス上にグラフィック提示させるステップであって、前記購入可能スコア修飾因子は、ｉ）１回限り使用できる装備品、およびｉｉ）半永久的に使用できる装備品から成る群から選択される構成因子を備える、ステップと、
前記１つまたはそれを上回る第２のコンピューティングデバイスから、前記１つまたはそれを上回る購入可能スコア修飾因子の選択された購入可能スコア修飾因子を受信するステップと、
前記選択された購入可能スコア修飾因子の購入に対応する電子支払トランザクションを処理させるステップであって、前記トランザクションは、前記１つまたはそれを上回る第２のコンピューティングデバイスのユーザと関連付けられたユーザアカウントに対応する、ステップと、
を含む、項目１−９のいずれかに記載の方法。
（項目１１）
１つまたはそれを上回る第１のスケジュールされたマルチステージスポーツアクティビティに関する前記競技データは、
今後のイベント日と、
今後のイベント識別と、
今後のイベントと関連付けられたステージ評価情報と、
から成る群から選択される構成因子を備える、項目１−１０のいずれかに記載の方法。
（項目１２）
前記第１の競技者の仮想リーグにメンバー登録された複数の競技者の各競技者の所与のユーザアカウントは、１つまたはそれを上回る第２のスケジュールされたマルチステージスポーツアクティビティを含み、前記第１の競技者の仮想リーグ内の所与の競技者の１つまたはそれを上回る第２のスケジュールされたマルチステージスポーツアクティビティのサブセットは、前記第１の競技者の１つまたはそれを上回る第１のスケジュールされたマルチステージスポーツアクティビティと異なる、項目１−１１のいずれかに記載の方法。
（項目１３）
前記第１の訓練成績提出は、
訓練セッションと関連付けられた完遂時間情報と、
前記訓練セッションの完遂率距離情報と、
前記訓練セッションの完遂率情報と、
前記訓練セッションと関連付けられた難易度評価情報と、
事前に定義された訓練セッションのセットの完遂スケジュール情報と、
から成る群から選択される構成因子を備える、項目１−１２のいずれかに記載の方法。
（項目１４）
前記第１のコース成績提出は、
前記第１の競技者に関する前記マルチステージスポーツアクティビティの１つまたはそれを上回るステージの完遂時間情報と、
前記第１の競技者を識別する競技者識別子と、
前記第１の競技者によって参加された前記マルチステージスポーツアクティビティのコース識別子と、
を備える、項目１−１３のいずれかに記載の方法。
（項目１５）
前記コース識別子は、ＧＰＳ場所データ、無線ブロードキャスティングデータ、およびモバイルデータを通したデジタル場所データから成る群の１つまたはそれを上回る構成因子に基づいて判定される、項目１４に記載の方法。
（項目１６）
システムであって、
第１のコンピューティングデバイスのプロセッサと、
その上に記憶される命令を有するメモリデバイスと、
を備え、前記命令は、プロセッサによって実行されると、前記プロセッサに、
ネットワークを経由して、ユーザと関連付けられた１つまたはそれを上回る第２のコンピューティングデバイスから、前記第１の競技者の第１の成績提出を受信することであって、前記第１の成績提出は、
前記第１の競技者によって参加された第１のマルチステージスポーツアクティビティに関する第１のコース成績提出と、
前記第１の競技者の成績プロファイルと関連付けられた第１の訓練成績提出であって、前記プロファイルは、前記マルチステージスポーツアクティビティのステージと関連付けられたスポーツアクティビティタイプに対応する、第１の訓練成績提出と、
のうちの少なくとも１つを備える、ことと、
前記第１の競技者と関連付けられた１つまたはそれを上回る第１のスケジュールされたマルチステージスポーツアクティビティに関する競技データにアクセスすることであって、
前記１つまたはそれを上回る第１のスケジュールされたマルチステージスポーツアクティビティは、前記第１の競技者に関する仮想リーグ内のシーズンの一部を定義する、ことと、
集合的に、前記第１の競技者と関連付けられた仮想リーグを形成する、前記複数の競技者間の前記第１の競技者のランキングを判定することであって、
前記ランキングは、少なくとも部分的に、前記複数の競技者に対応する１つまたはそれを上回る全体的成績スコアに関する前記第１の競技者の全体的成績スコアに基づき、
前記第１の競技者の全体的成績スコアは、前記１つまたはそれを上回る第１のスケジュールされたマルチステージスポーツアクティビティの所与のスケジュールされたマルチステージスポーツアクティビティに絞った個々の成績スコアに基づいて判定され、前記個々の成績スコアは、ｉ）前記所与のスケジュールされたマルチステージスポーツアクティビティに関する前記第１の競技者のコース成績提出、またはｉｉ）前記所与のスケジュールされたマルチステージスポーツアクティビティに関する前記第１の競技者の成績結果の予想のいずれかに基づいて判定され、
前記所与のスケジュールされたマルチステージスポーツアクティビティに関する前記第１の競技者の成績結果の予想は、
前記第１のコンピューティングデバイスのプロセッサによって、複数の第２の競技者の第２の成績データにアクセスするステップであって、前記第２の競技者の第２の成績データのサブセットは、共通コース属性を前記第１の競技者の第１の成績提出と共有する、ステップと、
前記第１のコンピューティングデバイスのプロセッサによって、前記第１の成績提出および前記第２の成績データのサブセットに基づいて、前記第１の競技者に関する成績評価を判定するステップであって、前記成績評価は、前記マルチステージスポーツアクティビティの各ステージに絞った１つまたはそれを上回る評価を備え、前記成績評価は、前記所与のスケジュールされたマルチステージスポーツアクティビティと関連付けられたコース評価に対して前記第１の競技者の成績結果の予想を判定するために採用される、ステップと、
によって判定される、ことと、
前記第１の競技者のランキングを前記１つまたはそれを上回る第２のコンピューティングデバイス上にグラフィック表示させることと、
を行わせる、システム。
（項目１７）
前記所与のスケジュールされたマルチステージスポーツアクティビティに関する前記第１の競技者の成績結果の予想は、
前記第１のコンピューティングデバイスのプロセッサによって、複数の第２の競技者の第２の成績データにアクセスするステップであって、前記第２の競技者の第２の成績データのサブセットは、共通コース属性を前記第１の競技者の第１の成績提出と共有する、ステップと、
前記第１のコンピューティングデバイスのプロセッサによって、前記第１の成績提出および前記第２の成績データのサブセットに基づいて、前記第１の競技者に関する成績評価を判定するステップであって、前記成績評価は、前記マルチステージスポーツアクティビティの各ステージに絞った１つまたはそれを上回る評価を備え、前記成績評価は、前記所与のスケジュールされたマルチステージスポーツアクティビティと関連付けられたコース評価に対して前記第１の競技者の成績結果の予想を判定するために採用される、ステップと、
によって判定される、項目１６に記載のシステム。
（項目１８）
前記共通コース属性は、
前記マルチステージスポーツアクティビティの同一コース識別子と、
前記マルチステージスポーツアクティビティの少なくとも１つのステージに関する同一距離評価と、
前記マルチステージスポーツアクティビティの少なくとも１つのステージに関する同一難易度評価と、
から成る群から選択される構成因子を備える、項目１７に記載のシステム。
（項目１９）
前記マルチステージスポーツアクティビティは、トライアスロン、バイアスロン、デカスロン、ヘプタスロン、近代ペンタスロン、オクタスロン、ペンタスロン、クアドラスロン、テトラスロン、アイコサスロン、またはアクアスロンから選択される構成因子である、項目１６−１８のいずれかに記載のシステム。
（項目２０）
前記命令は、前記プロセッサによって実行されると、前記プロセッサに、
前記第１の競技者と関連付けられたスコア化補正率に基づいて、前記所与のマルチステージスポーツアクティビティに関する前記第１の競技者の個々の成績スコアを調節させ、前記スコア化補正率は、
ｉ）前記第１の競技者の人口統計属性および／またはカテゴリ属性と、
ｉｉ）前記第１の競技者によって参加された１つまたはそれを上回るマルチステージスポーツアクティビティにおける前記第１の競技者の成績結果と、
ｉｉｉ）前記第１の競技者によって参加された１つまたはそれを上回るマルチステージスポーツアクティビティにおける前記第１の競技者と他の競技者の相対的成績と、
ｉｖ）前記第１の競技者によって参加された１つまたはそれを上回るマルチステージスポーツアクティビティにおける前記第１の競技者と同一人口統計および／またはカテゴリ属性での前記第１の競技者とトップアスリートの相対的成績と、
ｖ）前記第１の競技者と関連付けられた訓練条件と、
から成る群から選択される少なくとも１つの構成因子に基づく、項目１６−１９のいずれかに記載のシステム。
（項目２１）
前記命令は、前記プロセッサによって実行されると、前記プロセッサに、前記第１の競技者と関連付けられたスコア化補正率に基づいて、前記所与のマルチステージスポーツアクティビティに関する前記第１の競技者の個々の成績スコアを調節させ、前記スコア化補正率は、購入可能スコア修飾因子に基づき、前記調節度は、前記購入可能スコア修飾因子に関して前記ユーザが費やした金額に基づく、項目１６−２０のいずれかに記載のシステム。
（項目２２）
前記命令は、前記プロセッサによって実行されると、前記プロセッサに、
１つまたはそれを上回る購入可能スコア修飾因子を前記１つまたはそれを上回る第２のコンピューティングデバイス上にグラフィック提示させることであって、前記購入可能スコア修飾因子は、ｉ）１回限り使用できる装備品、およびｉｉ）半永久的に使用できる装備品から成る群から選択される構成因子を備える、ことと、
前記１つまたはそれを上回る第２のコンピューティングデバイスから、前記１つまたはそれを上回る購入可能スコア修飾因子の選択された購入可能スコア修飾因子を受信することと、
前記選択された購入可能スコア修飾因子の購入に対応する電子支払トランザクションを処理させることであって、前記トランザクションは、前記１つまたはそれを上回る第２のコンピューティングデバイスのユーザと関連付けられたユーザアカウントに対応する、ことと、
を行わせる、項目１６−２１のいずれかに記載のシステム。
（項目２３）
１つまたはそれを上回る第１のスケジュールされたマルチステージスポーツアクティビティに関する前記競技データは、
今後のイベント日と、
今後のイベント識別と、
今後のイベントと関連付けられたステージ評価情報と、
から成る群から選択される構成因子を備える、項目１６−２２のいずれかに記載のシステム。
（項目２４）
前記第１の競技者の仮想リーグにメンバー登録された複数の競技者の各競技者の所与のユーザアカウントは、１つまたはそれを上回る第２のスケジュールされたマルチステージスポーツアクティビティを含み、前記第１の競技者の仮想リーグ内の所与の競技者の１つまたはそれを上回る第２のスケジュールされたマルチステージスポーツアクティビティのサブセットは、前記第１の競技者の１つまたはそれを上回る第１のスケジュールされたマルチステージスポーツアクティビティと異なる、項目１６−２３のいずれかに記載のシステム。
（項目２５）
前記第１の訓練成績提出は、
訓練セッションと関連付けられた完遂時間情報と、
前記訓練セッションの完遂率距離情報と、
前記訓練セッションの完遂率情報と、
前記訓練セッションと関連付けられた難易度評価情報と、
事前に定義された訓練セッションのセットの完遂スケジュール情報と、
から成る群から選択される構成因子を備える、項目１６−２４のいずれかに記載のシステム。
（項目２６）
前記第１のコース成績提出は、
前記第１の競技者に関する前記マルチステージスポーツアクティビティの１つまたはそれを上回るステージの完遂時間情報と、
前記第１の競技者を識別する競技者識別子と、
前記第１の競技者によって参加された前記マルチステージスポーツアクティビティのコース識別子と、
を備える、項目１６−２５のいずれかに記載のシステム。
（項目２７）
前記コース識別子は、前記プロセッサによって、ＧＰＳ場所データ、無線ブロードキャスティングデータ、およびモバイルデータを通したデジタル場所データから成る群の１つまたはそれを上回る構成因子に基づいて判定される、項目２６に記載のシステム。
（項目２８）
スポーツアクティビティに関する仮想スポーツリーグを提供するプラットフォームを動作させるための方法であって、前記方法は、
第１のコンピューティングデバイスのプロセッサによって、ネットワークを経由して、ユーザと関連付けられた１つまたはそれを上回る第２のコンピューティングデバイスから、第１の競技者の第１の成績提出を受信するステップであって、前記第１の成績提出は、
前記第１の競技者によって参加された第１のスポーツアクティビティに関する第１のコース成績提出と、
前記第１の競技者の成績プロファイルと関連付けられた第１の訓練成績提出であって、前記プロファイルは、前記スポーツアクティビティと関連付けられたスポーツアクティビティタイプに対応する、第１の訓練成績提出と、
のうちの少なくとも１つを備える、ステップと、
前記第１のコンピューティングデバイスのプロセッサによって、前記第１の競技者と関連付けられた１つまたはそれを上回る第１のスケジュールされたスポーツアクティビティに関する競技データにアクセスするステップであって、
前記１つまたはそれを上回る第１のスケジュールされたスポーツアクティビティは、前記第１の競技者に関する仮想リーグ内のシーズンの一部を定義する、ステップと、
前記第１のコンピューティングデバイスのプロセッサによって、集合的に、前記第１の競技者と関連付けられた仮想リーグを形成する、前記複数の競技者間の前記第１の競技者のランキングを判定するステップであって、
前記ランキングは、少なくとも部分的に、前記複数の競技者に対応する１つまたはそれを上回る全体的成績スコアに関する前記第１の競技者の全体的成績スコアに基づき、
前記第１の競技者の全体的成績スコアは、前記１つまたはそれを上回る第１のスケジュールされたスポーツアクティビティの所与のスケジュールされたスポーツアクティビティに絞った個々の成績スコアに基づいて判定され、前記個々の成績スコアは、ｉ）前記所与のスケジュールされたスポーツアクティビティに関するコース成績提出、またはｉｉ）前記所与のスケジュールされたスポーツアクティビティに関する前記第１の競技者の成績結果の予想のいずれかに基づいて判定され、
前記所与のスケジュールされたマルチステージスポーツアクティビティに関する前記第１の競技者の成績結果の予想は、
前記第１のコンピューティングデバイスのプロセッサによって、複数の第２の競技者の第２の成績データにアクセスするステップであって、前記第２の競技者の第２の成績データのサブセットは、共通コース属性を前記第１の競技者の第１の成績提出と共有する、ステップと、
前記第１のコンピューティングデバイスのプロセッサによって、前記第１の成績提出および前記第２の成績データのサブセットに基づいて、前記第１の競技者に関する成績評価を判定するステップであって、前記成績評価は、前記マルチステージスポーツアクティビティの各ステージに絞った１つまたはそれを上回る評価を備え、前記成績評価は、前記所与のスケジュールされたマルチステージスポーツアクティビティと関連付けられたコース評価に対して前記第１の競技者の成績結果の予想を判定するために採用される、ステップと、
によって判定される、ステップと、
前記第１のコンピューティングデバイスのプロセッサによって、前記第１の競技者のランキングを前記第１のコンピューティングデバイス上にグラフィック表示させるステップと、
を含む、方法。
（項目２９）
前記スポーツアクティビティは、マラソン、水泳マラソン、自転車マラソン、バイアスロン、トライアスロン、デカスロン、ヘプタスロン、近代ペンタスロン、オクタスロン、ペンタスロン、クアドラスロン、テトラスロン、アイコサスロン、またはアクアスロンから選択される構成因子である、項目２８に記載の方法。
（項目３０）
方法であって、
ネットワークを経由して、遠隔コンピューティングデバイスのユーザから、ａ）マルチステージスポーツアクティビティの１つまたはそれを上回るステージに関する完遂時間情報、ｂ）ユーザ識別子、ｃ）コース識別子、およびｄ）１つまたはそれを上回るコンテキスト依存識別子を備える、コース成績提出を受信するステップであって、前記１つまたはそれを上回るコンテキスト依存識別子は、以下の（ｉ）から（ｉｖ）であって、
（ｉ）前記コース成績提出と関連付けられた前記マルチステージスポーツアクティビティの１つまたはそれを上回るステージを識別するステージ識別子と、
（ｉｉ）前記コース成績提出と関連付けられた競技を識別する競技識別子と、
（ｉｉｉ）前記コース成績提出と関連付けられたユーザ能力レベルを識別する能力レベル識別子と、
（ｉｖ）前記コース成績提出と関連付けられた距離評価を識別する距離評価識別子と、のうちの１つまたはそれを上回るものを備える、ステップと、
コンピューティングデバイスのプロセッサによって、複数のユーザからの１つまたはそれを上回る付加的コース成績提出にアクセスするステップであって、前記付加的コース成績提出は、前記コース識別子および前記コンテキスト依存識別子のうちの少なくとも１つを共有する、ステップと、
前記プロセッサによって、前記複数のユーザから受信された前記コース成績提出のサブセットに基づいて、前記マルチステージスポーツアクティビティの１つまたはそれを上回るステージのそれぞれに絞った全体的成績評価を判定するステップと、
前記コンテキスト依存識別子のうちの少なくとも１つおよび前記全体的成績評価に基づいて、前記マルチステージスポーツアクティビティの少なくとも１つのステージに関する個人化された成績目標を提供するステップと、
を含む、方法。
（項目３１）
前記マルチステージスポーツアクティビティは、バイアスロン、トライアスロン、デカスロン、ヘプタスロン、近代ペンタスロン、オクタスロン、ペンタスロン、クアドラスロン、およびテトラスロンから選択される構成因子である、項目３０に記載の方法。
（項目３２）
前記マルチステージスポーツアクティビティは、トライアスロンである、項目３０または３１に記載の方法。
（項目３３）
前記マルチステージスポーツアクティビティの１つまたはそれを上回るステージは、長距離走、水泳、および自転車を備える、項目３０−３１のいずれかに記載の方法。
（項目３４）
前記マルチステージスポーツアクティビティは、２つまたはそれを上回るステージ（例えば、２、３、４、５、６、７、８、９、１０、またはそれを上回るステージ）を有する、項目３０−３３のいずれかに記載の方法。
（項目３５）
前記コース識別子は、ＧＰＳ場所データ、無線ブロードキャスティングデータ、およびモバイルデータを通したデジタル場所データから成る群の１つまたはそれを上回る構成因子に基づいて判定される、項目３０−３４のいずれかに記載の方法。
（項目３６）
前記個人化された成績目標は、前記ユーザ能力レベルに基づいて、前記全体的成績評価を調節することによって判定される、項目３０−３５のいずれかに記載の方法。
（項目３７）
前記全体的成績評価は、前記競技識別子を共有するコース成績提出のサブセットに基づく、項目３０−３６のいずれかに記載の方法。
（項目３８）
ユーザ識別子および距離評価を共有する１つまたはそれを上回るコース成績提出に基づいて、前記ユーザと関連付けられたユーザ能力レベル（例えば、能力ランキングまたは分類）を判定するステップをさらに含む、項目３０−３７のいずれかに記載の方法。
（項目３９）
前記ユーザ能力レベルは、前記マルチステージスポーツアクティビティの各ステージに関するステージ能力レベルを備える、項目３０−３８のいずれかに記載の方法。
（項目４０）
前記ユーザ能力レベルは、長距離走、水泳、および自転車のそれぞれに関するステージ能力レベルを備える、項目３０−３９のいずれかに記載の方法。
（項目４１）
前記ユーザ能力レベルは、前記マルチステージスポーツアクティビティの１つまたはそれを上回るステージのうちの複数に関するステージ能力レベル（例えば、２、３、４、５、６、７、８、９、１０、またはそれを上回るステージのそれぞれに関するステージ能力レベル）を備える、項目３０−４０のいずれかに記載の方法。
（項目４２）
システムであって、
プロセッサと、
その上に記憶された命令を有するメモリと、
を備え、前記命令は、実行されると、前記プロセッサに、
ネットワークを経由して、遠隔コンピューティングデバイスのユーザから、ａ）マルチステージスポーツアクティビティの１つまたはそれを上回るステージに関する完遂時間情報、ｂ）ユーザ識別子、ｃ）コース識別子、およびｄ）１つまたはそれを上回るコンテキスト依存識別子を備える、コース成績提出を受信することであって、前記１つまたはそれを上回るコンテキスト依存識別子は、以下の（ｉ）から（ｉｖ）であって、
ｉ）前記コース成績提出と関連付けられた前記マルチステージスポーツアクティビティの１つまたはそれを上回るステージを識別するステージ識別子と、
ｉｉ）前記コース成績提出と関連付けられた競技を識別する競技識別子と、
ｉｉｉ）前記コース成績提出と関連付けられたユーザ能力レベルを識別する能力レベル識別子と、
ｉｖ）前記コース成績提出と関連付けられた距離評価を識別する距離評価識別子と、のうちの少なくとも１つを備える、ことと、
複数のユーザからの１つまたはそれを上回る付加的コース成績提出にアクセスすることであって、前記付加的コース成績提出は、前記コース識別子および前記コンテキスト依存識別子のうちの少なくとも１つを共有する、ことと、
前記複数のユーザから受信された前記コース成績提出のサブセットに基づいて、前記マルチステージスポーツアクティビティの１つまたはそれを上回るステージのそれぞれに絞った全体的成績評価を判定することと、
前記コンテキスト依存識別子のうちの少なくとも１つおよび前記全体的成績評価に基づいて、前記マルチステージスポーツアクティビティの少なくとも１つのステージに関する個人化された成績目標を提供することと、
を行わせる、システム。
（項目４３）
前記マルチステージスポーツアクティビティは、バイアスロン、トライアスロン、デカスロン、ヘプタスロン、近代ペンタスロン、オクタスロン、ペンタスロン、クアドラスロン、またはテトラスロンから選択される構成因子である、項目４２に記載のシステム。
（項目４４）
前記マルチステージスポーツアクティビティは、トライアスロンである、項目４２または４３に記載のシステム。
（項目４５）
前記マルチステージスポーツアクティビティの１つまたはそれを上回るステージは、長距離走、水泳、および自転車を備える、項目４２−４４のいずれかに記載のシステム。
（項目４６）
前記マルチステージスポーツアクティビティは、２つまたはそれを上回るステージ（例えば、２、３、４、５、６、７、８、９、１０、またはそれを上回るステージ）を有する、項目４３−４５のいずれかに記載のシステム。
（項目４７）
前記コース識別子は、前記プロセッサによって、ＧＰＳ場所データ、無線ブロードキャスティングデータ、およびモバイルデータを通したデジタル場所データから成る群の１つまたはそれを上回る構成因子に基づいて判定される、項目４２−４６のいずれかに記載のシステム。
（項目４８）
前記個人化された成績目標は、前記プロセッサによって、前記ユーザ能力レベルに基づいて、前記全体的成績評価を調節することによって判定される、項目４２−４７のいずれかに記載のシステム。
（項目４９）
前記全体的成績評価は、前記競技識別子を共有するコース成績提出のサブセットに基づく、項目４２−４８のいずれかに記載のシステム。
（項目５０）
前記命令は、前記プロセッサに、ユーザ識別子および距離評価を共有する１つまたはそれを上回るコース成績提出に基づいて、前記ユーザと関連付けられたユーザ能力レベル（例えば、能力ランキングまたは分類）を判定させる、項目４２−４７のいずれかに記載のシステム。
（項目５１）
前記ユーザ能力レベルは、前記マルチステージスポーツアクティビティの各ステージに関するステージ能力レベルを備える、項目４２−５０のいずれかに記載のシステム。
（項目５２）
前記ユーザ能力レベルは、長距離走、水泳、および自転車のそれぞれに関するステージ能力レベルを備える、項目４２−５１のいずれかに記載のシステム。
（項目５３）
前記ユーザ能力レベルは、前記マルチステージスポーツアクティビティの１つまたはそれを上回るステージのうちの複数に関するステージ能力レベル（例えば、２、３、４、５、６、７、８、９、１０、またはそれを上回るステージのそれぞれに関するステージ能力レベル）を備える、項目４２−５２のいずれかに記載のシステム。